(57)【要約】【課題】  本発明が解決しようとする課題は、放送局に負荷分散のための機能を新たに設けることなく、また受信端末に位置検出手段や放送局に自身の位置を送信する手段などの特別な機能を設けることなくサーバの負荷分散ができる技術を提供することである。【解決手段】  放送波からネットワーク識別子、又はＴＳ識別子を取得する。放送波を受信した端末に、取得したネットワーク識別子、又はＴＳ識別子に対応するサーバへアクセスさせる。また、放送波を受信し、自局の識別子を付与して放送波を再送信する中継局を有する構成の場合、中継局からの放送波から中継局の識別子を取得する。そして、放送波を受信した端末に、取得した中継局の識別子に対応するサーバへアクセスさせる。【選択図】  図２
2006295818.tif 000002
【特許請求の範囲】
【請求項１】
負荷分散システムであって、
放送波から送信元を識別する識別情報を取得する取得手段と、
前記放送波を受信した端末に、前記取得した識別情報に対応するサーバへアクセスさせるアクセス制御手段と
を有することを特徴とする負荷分散システム。
【請求項２】
負荷分散システムであって、
放送波からネットワーク識別子、又はＴＳ識別子を取得する取得手段と、
前記放送波を受信した端末に、前記取得したネットワーク識別子、又はＴＳ識別子に対応するサーバへアクセスさせるアクセス制御手段と
を有することを特徴とする負荷分散システム。
【請求項３】
負荷分散システムであって、
放送波を受信し、自局の識別子を付与して放送波を再送信する中継局と、
前記中継局からの放送波から前記中継局の識別子を取得する取得手段と、
前記放送波を受信した端末に、前記取得した中継局の識別子に対応するサーバへアクセスさせるアクセス制御手段と
を有することを特徴とする負荷分散システム。
【請求項４】
前記アクセス制御手段は、前記端末に設けられ、前記識別情報、ネットワーク識別子、ＴＳ識別子、又は中継局の識別子をアクセスさせるサーバのドメインの一部又は全部として用いて、前記端末に前記サーバへアクセスさせる手段であることを特徴とする請求項１から請求項３のいずれかに記載の負荷分散システム。
【請求項５】
前記アクセス制御手段を端末とネットワークを介して接続されるサーバ内に設け、
前記アクセス制御手段は、前記識別情報、ネットワーク識別子、ＴＳ識別子、又は中継局の識別子と、サーバ識別子とが対応付けられたテーブルを有し、
前記端末内に設置された取得手段から、前記識別情報、ネットワーク識別子、ＴＳ識別子、又は中継局の識別子を受信し、受信した前記識別情報、ネットワーク識別子、ＴＳ識別子、又は中継局の識別子に対応するサーバ識別子を前記テーブルから検索し、前記端末に前記検索したサーバ識別子に対応するサーバへアクセスさせる手段であることを特徴とする請求項１から請求項３のいずれかに記載の負荷分散システム。
【請求項６】
負荷分散システムであって、
放送波を受信し、自局の識別子をアクセスさせるサーバのドメインの一部又は全部として用いてサーバ識別子を生成し、受信した放送波に付与して再送信する中継局と、
前記中継局からの放送波から前記サーバ識別子を取得する取得手段と、
前記放送波を受信した端末に、前記取得したサーバ識別子に対応するサーバへアクセスさせるアクセス制御手段と
を有することを特徴とする負荷分散システム。
【請求項７】
端末であって、
放送波を受信する受信手段と、
前記受信した放送波からネットワーク識別子、ＴＳ識別子、又は中継局の識別子を取得する取得手段と、
前記取得したネットワーク識別子、ＴＳ識別子、又は中継局の識別子に基づいて、前記ネットワーク識別子、ＴＳ識別子、又は中継局の識別子に対応するサーバにアクセスするアクセス手段と
を有することを特徴とする端末。
【請求項８】
前記アクセス手段は、前記ネットワーク識別子、ＴＳ識別子、又は中継局の識別子をサーバのドメインの一部又は全部に持つサーバにアクセスさせる手段であることを特徴とする請求項７に記載の端末。
【請求項９】
負荷分散装置であって、
端末が受信した放送波のネットワーク識別子、ＴＳ識別子、又は中継局の識別子を受信する受信手段と、
前記ネットワーク識別子、ＴＳ識別子、又は中継局の識別子と、サーバ識別子とが対応付けられたテーブルと、
前記受信したネットワーク識別子、ＴＳ識別子、又は中継局の識別子に対応付けられたサーバ識別子を前記テーブルから検索し、このサーバ識別子に対応するサーバに、放送波を受信した端末をアクセスさせるアクセス制御手段と
を有することを特徴とする負荷分散装置。
【請求項１０】
負荷分散システムの中継局であって、
放送波を受信する受信手段と、
前記受信した放送波に自局の識別子を付与して放送波を再送信する再送信手段と
を有することを特徴とする中継局。
【請求項１１】
負荷分散システムの中継局であって、
放送波を受信する受信手段と、
自局の中継局識別子をアクセスさせるサーバのドメインの一部又は全部として用いてサーバ識別子を生成する生成手段と、
前記受信した放送波に前記生成したサーバ識別子を付与して放送波を再送信する再送信手段と
を有することを特徴とする中継局。
【請求項１２】
負荷分散方法であって、
放送波から送信元を識別する識別情報を取得する取得ステップと、
前記放送波を受信した端末に、前記取得した識別情報に対応するサーバへアクセスさせるアクセス制御ステップと
を有することを特徴とする負荷分散方法。
【請求項１３】
負荷分散方法であって、
放送波からネットワーク識別子、又はＴＳ識別子を取得する取得ステップと、
前記放送波を受信した端末に、前記取得したネットワーク識別子、又はＴＳ識別子に対応するサーバへアクセスさせるアクセス制御ステップと
を有することを特徴とする負荷分散方法。
【請求項１４】
負荷分散方法であって、
中継局で放送波を受信し、自局の識別子を付与して再送信する再送信ステップと、
前記再送信された放送波から中継局の識別子を取得する取得ステップと、
前記放送波を受信した端末に、前記取得した中継局の識別子に対応するサーバへアクセスさせるアクセス制御ステップと
を有することを特徴とする負荷分散方法。
【請求項１５】
前記アクセス制御ステップは、前記識別情報、ネットワーク識別子、ＴＳ識別子、又は中継局の識別子をアクセスさせるサーバのドメインの一部又は全部として用いて前記端末にアクセスさせるステップであることを特徴とする請求項１２から請求項１４のいずれかに記載の負荷分散方法。
【請求項１６】
前記アクセス制御ステップは、
前記端末から送信された、前記識別情報、ネットワーク識別子、ＴＳ識別子、又は中継局の識別子を受信する受信ステップと、
前記受信した前記識別情報、ネットワーク識別子、ＴＳ識別子、又は中継局の識別子に対応するサーバ識別子を前記識別情報、ネットワーク識別子、ＴＳ識別子、又は中継局の識別子と、サーバ識別子とが対応付けられたテーブルから検索する検索ステップと、
前記端末に前記検索したサーバ識別子に対応するサーバへアクセスさせるステップと
を有することを特徴とする請求項１２から請求項１４のいずれかに記載の負荷分散方法。
【請求項１７】
負荷分散方法であって、
放送波を受信する受信ステップと、
前記放送波を受信した中継局の識別子をアクセスすべきサーバのドメインの一部又は全部として用いてサーバ識別子を生成する生成ステップと、
前記受信した放送波に前記生成したサーバ識別子を付与して再送信する再送信ステップと、
前記再送信された放送波から前記サーバ識別子を取得する取得ステップと、
前記再送信された放送波を受信した端末に、前記取得したサーバ識別子に対応するサーバへアクセスさせるアクセスステップと
を有することを特徴とする負荷分散方法。
【請求項１８】
端末のプログラムであって、前記プログラムは前記端末を、
受信した放送波からネットワーク識別子、ＴＳ識別子、又は中継局の識別子を取得する取得手段と、
前記取得したネットワーク識別子、ＴＳ識別子、又は中継局の識別子に基づいて、前記ネットワーク識別子、ＴＳ識別子、又は中継局の識別子に対応するサーバにアクセスするアクセス手段と
して機能させることを特徴とするプログラム。
【請求項１９】
前記プログラムは、前記アクセス手段を、前記ネットワーク識別子、ＴＳ識別子、又は中継局の識別子をサーバのドメインの一部又は全部に持つサーバにアクセスさせる手段として機能させることを特徴とする請求項１８に記載のプログラム。
【請求項２０】
負荷分散装置のプログラムであって、前記プログラムは前記負荷分散装置を、
端末が受信した放送波のネットワーク識別子、ＴＳ識別子、又は中継局の識別子を受信する受信手段と、
前記受信したネットワーク識別子、ＴＳ識別子、又は中継局の識別子に対応付けられたサーバ識別子を前記ネットワーク識別子、ＴＳ識別子、又は中継局の識別子と、サーバ識別子とが対応付けられたテーブルから検索し、このサーバ識別子に対応するサーバに、放送波を受信した端末をアクセスさせるアクセス制御手段と
して機能させることを特徴とするプログラム。
【請求項２１】
負荷分散システムにおける中継局のプログラムであって、前記プログラムは前記中継局を、
受信した放送波に自局の識別子を付与して放送波を再送信する再送信手段と
して機能させることを特徴とするプログラム。
【請求項２２】
負荷分散システムにおける中継局のプログラムであって、前記プログラムは前記中継局を、
自局の中継局識別子をアクセスすべきサーバのドメインの一部又は全部として用いてサーバ識別子を生成する生成手段と、
受信した放送波に前記生成したサーバ識別子を付与して放送波を再送信する再送信手段と
して機能させることを特徴とするプログラム。
【発明の詳細な説明】
【技術分野】
【０００１】
本発明は負荷分散に関する技術に関し、特に、放送波からアクセスすべきサーバに関する情報を取得して、取得した情報に対応するサーバへ放送波を受信した端末にアクセスさせることによりサーバの負荷を分散させる技術に関する。
【背景技術】
【０００２】
近年、インターネットが利用できる機能と放送波を受信できる機能とを有する受信端末が普及しつつあり、さらに地上デジタル放送を受信できる機能を有する携帯端末が検討されている。このような受信端末では、番組と共に画面に表示されているコンテンツサーバのアドレスを選択することにより、若しくは、ユーザの選択によらず自動的にコンテンツサーバにアクセスすることができる。このような場合におけるコンテンツサーバへのアクセスが短時間に大量に集中する際のサーバの負荷を低減させるための技術が提案されている（例えば特許文献１）。
【０００３】
特許文献１に記載されている技術は、放送局がコンテンツサーバへのアクセスを許可する受信端末の識別情報を送信し、アクセス許可を得た受信端末のみがコンテンツサーバにアクセスすることによりコンテンツサーバの負荷を低減させる技術である。
【０００４】
また、上記受信端末が利用するインターネットにおいては、サーバへの大量アクセスが短時間に集中すると、サーバや通信回線に多大な負荷がかかり、コンテンツ配信の処理能力が低下するという問題があり、この問題を解消させるためにＣＤＮ（Contents Distribution Network）という技術が一般に用いられている。
【０００５】
この技術は、サーバと同様のコンテンツ情報を持つキャッシュサーバをネットワーク上に複数設け、コンテンツを利用する端末は一度ＣＤＮ内の負荷分散装置に接続し、端末のＩＰ（Internet Protocol）アドレスやＤＮＳサーバ等に基づいてこの端末に最も近い場所にあるキャッシュサーバを負荷分散装置が振り分けることによりサーバの負荷が分散される技術である。
【０００６】
【特許文献１】特開平１１−３０６０６８号公報
【発明の開示】
【発明が解決しようとする課題】
【０００７】
上記特許文献１の技術では、コンテンツサーバへのアクセスを許可する受信端末を受信端末の位置を基に決定し、コンテンツサーバへのアクセスを許可する受信端末の識別情報を放送局が送信する構成となっているため、コンテンツサーバへのアクセスを許可する受信端末の識別情報と受信端末の位置とを放送局が事前に知る必要がある。そのため、受信端末は自身の位置情報を検出、又は登録、保持する等の機能とその情報を放送局に送信するための機能等を、放送局は受信端末の情報を受信するための機能と、更にアクセスを許可する受信端末を決定するための機能とを設けなければならない。そのため、通常の機能以外の機能、例えば受信端末はインターネットの機能と放送波を受信する機能以外の機能を、放送局は番組を放送する機能以外の機能を新たに設けなければならず、構成が複雑になってしまうという問題があった。
【０００８】
更に、放送局はコンテンツサーバへのアクセスを許可する受信端末を決定する度に、放送局から送信するデータを生成し直す必要があり、放送局に多大な負担がかかるという問題があった。特に、受信端末が携帯電話のように位置が移動するものである場合、上記の処理の頻度は多くなり、より多大な負担が放送局にかかることになる。
【０００９】
一方、上記ＣＤＮを用いた技術では端末のＩＰアドレスやＤＮＳ（Domain Name System）サーバ等に基づいて、端末がアクセスするサーバを割り振っている。
【００１０】
ＩＰアドレスを利用して負荷分散する方法は、事前にユーザのＩＰアドレスとキャッシュサーバとのマッピング情報（テーブル）を保持し、コンテンツサーバへのアクセスのリクエストがあった場合、そのマッピング情報に基づいて近接する最適なキャッシュサーバを割り振っている。しかしながら、この方法は、事前にユーザの情報を把握しておく必要があるため、クローズドなキャリアアクセスやＩＳＰ（インターネット・サービス・プロバイダ）のＣＤＮにおいてのみ効果がある方法である。
【００１１】
また、ＤＮＳサーバを利用する方法は、地域性の高いＣＡＴＶインターネット網が普及しているアメリカなどでは負荷分散の効果があるが、日本においては大手のＩＳＰでさえ東京と大阪との２箇所にしかＤＮＳサーバを置いていない場合が多く、負荷分散の効果がほとんど得られない。例えば北海道からアクセスしても東京からアクセスしても、ＤＮＳサーバの場所で判断してキャッシュサーバを割り振ると全て東京のサーバからコンテンツを配信することになってしまう。
【００１２】
又、近年の携帯端末は、インターネットの機能と放送波を受信する機能とを有するものがあり、さらに地上デジタル放送を受信する機能を有する携帯端末も検討されている。このような携帯端末の画面に番組と共に表示されているコンテンツサーバのアドレスを選択することにより、又は自動的にコンテンツサーバにアクセスする場合がある。
【００１３】
携帯端末を用いてコンテンツサーバへアクセスする場合、プロキシサーバがアクセスを代行している。即ち、ＣＤＮに必要なＩＰアドレスやＤＮＳサーバ等は全てプロキシサーバに基づいた情報となってしまうのでＣＤＮの技術を用いた負荷分散を適用することができないという問題があった。
【００１４】
そこで、本発明は上記問題点を鑑みて発明されたものであって、本発明が解決しようとする課題は、放送局にサーバの負荷分散のための機能を新たに設けることなく、又、受信端末に位置検出機能や放送局に自身の位置を送信する機能等の特別な機能を設けることなくサーバの負荷分散ができる技術を提供することにある。
【００１５】
更に、本発明が解決しようとする課題は、放送局に負担をかけずにサーバの負荷分散ができる技術を提供することにある。
【００１６】
更に、本発明が解決しようとする課題は、固定受信端末からのアクセスであっても、携帯端末からのアクセスであっても、サーバの負荷分散が可能となる技術を提供することにある。
【課題を解決するための手段】
【００１７】
上記課題を解決するための第１の発明は、
負荷分散システムであって、
放送波から送信元を識別する識別情報を取得する取得手段と、
前記放送波を受信した端末に、前記取得した識別情報に対応するサーバへアクセスさせるアクセス制御手段と
を有することを特徴とする。
【００１８】
上記課題を解決するための第２の発明は、
負荷分散システムであって、
放送波からネットワーク識別子、又はＴＳ識別子を取得する取得手段と、
前記放送波を受信した端末に、前記取得したネットワーク識別子、又はＴＳ識別子に対応するサーバへアクセスさせるアクセス制御手段と
を有することを特徴とする。
【００１９】
上記課題を解決するための第３の発明は、
負荷分散システムであって、
放送波を受信し、自局の識別子を付与して放送波を再送信する中継局と、
前記中継局からの放送波から前記中継局の識別子を取得する取得手段と、
前記放送波を受信した端末に、前記取得した中継局の識別子に対応するサーバへアクセスさせるアクセス制御手段と
を有することを特徴とする。
【００２０】
上記課題を解決するための第４の発明は、上記第１から第３のいずれかの発明において、
前記アクセス制御手段が、前記端末に設けられ、前記識別情報、ネットワーク識別子、ＴＳ識別子、又は中継局の識別子をアクセスさせるサーバのドメインの一部又は全部として用いて、前記端末に前記サーバへアクセスさせる手段であることを特徴とする
【００２１】
上記課題を解決するための第５の発明は、上記第１から第３のいずれかの発明において、
前記アクセス制御手段を端末とネットワークを介して接続されるサーバ内に設け、
前記アクセス制御手段は、前記識別情報、ネットワーク識別子、ＴＳ識別子、又は中継局の識別子と、サーバ識別子とが対応付けられたテーブルを有し、
前記端末内に設置された取得手段から、前記識別情報、ネットワーク識別子、ＴＳ識別子、又は中継局の識別子を受信し、受信した前記識別情報、ネットワーク識別子、ＴＳ識別子、又は中継局の識別子に対応するサーバ識別子を前記テーブルから検索し、前記端末に前記検索したサーバ識別子に対応するサーバへアクセスさせる手段であることを特徴とする。
【００２２】
上記課題を解決するための第６の発明は、
負荷分散システムであって、
放送波を受信し、自局の識別子をアクセスさせるサーバのドメインの一部又は全部として用いてサーバ識別子を生成し、受信した放送波に付与して再送信する中継局と、
前記中継局からの放送波から前記サーバ識別子を取得する取得手段と、
前記放送波を受信した端末に、前記取得したサーバ識別子に対応するサーバへアクセスさせるアクセス制御手段と
を有することを特徴とする。
【００２３】
上記課題を解決するための第７の発明は、
端末であって、
放送波を受信する受信手段と、
前記受信した放送波からネットワーク識別子、ＴＳ識別子、又は中継局の識別子を取得する取得手段と、
前記取得したネットワーク識別子、ＴＳ識別子、又は中継局の識別子に基づいて、前記ネットワーク識別子、ＴＳ識別子、又は中継局の識別子に対応するサーバにアクセスするアクセス手段と
を有することを特徴とする。
【００２４】
上記課題を解決するための第８の発明は、上記第７の発明において、
前記アクセス手段は、前記ネットワーク識別子、ＴＳ識別子、又は中継局の識別子をサーバのドメインの一部又は全部に持つサーバにアクセスさせる手段であることを特徴とする。
【００２５】
上記課題を解決するための第９の発明は、
負荷分散装置であって、
端末が受信した放送波のネットワーク識別子、ＴＳ識別子、又は中継局の識別子を受信する受信手段と、
前記ネットワーク識別子、ＴＳ識別子、又は中継局の識別子と、サーバ識別子とが対応付けられたテーブルと、
前記受信したネットワーク識別子、ＴＳ識別子、又は中継局の識別子に対応付けられたサーバ識別子を前記テーブルから検索し、このサーバ識別子に対応するサーバに、放送波を受信した端末をアクセスさせるアクセス制御手段と
を有することを特徴とする。
【００２６】
上記課題を解決するための第１０の発明は、
負荷分散システムの中継局であって、
放送波を受信する受信手段と、
前記受信した放送波に自局の識別子を付与して放送波を再送信する再送信手段と
を有することを特徴とする。
【００２７】
上記課題を解決するための第１１の発明は、
負荷分散システムの中継局であって、
放送波を受信する受信手段と、
自局の中継局識別子をアクセスさせるサーバのドメインの一部又は全部として用いてサーバ識別子を生成する生成手段と、
前記受信した放送波に前記生成したサーバ識別子を付与して放送波を再送信する再送信手段と
を有することを特徴とする。
【００２８】
上記課題を解決するための第１２の発明は、
負荷分散方法であって、
放送波から送信元を識別する識別情報を取得する取得ステップと、
前記放送波を受信した端末に、前記取得した識別情報に対応するサーバへアクセスさせるアクセス制御ステップと
を有することを特徴とする。
【００２９】
上記課題を解決するための第１３の発明は、
負荷分散方法であって、
放送波からネットワーク識別子、又はＴＳ識別子を取得する取得ステップと、
前記放送波を受信した端末に、前記取得したネットワーク識別子、又はＴＳ識別子に対応するサーバへアクセスさせるアクセス制御ステップと
を有することを特徴とする。
【００３０】
上記課題を解決するための第１４の発明は、
負荷分散方法であって、
中継局で放送波を受信し、自局の識別子を付与して再送信する再送信ステップと、
前記再送信された放送波から前記中継局の識別子を取得する取得ステップと、
前記放送波を受信した端末に、前記取得した中継局の識別子に対応するサーバへアクセスさせるアクセス制御ステップと
を有することを特徴とする。
【００３１】
上記課題を解決するための第１５の発明は、上記第１２から第１４のいずれかの発明において、
前記アクセス制御ステップが、前記識別情報、ネットワーク識別子、ＴＳ識別子、又は中継局の識別子をアクセスさせるサーバのドメインの一部又は全部として用いて前記端末にアクセスさせるステップであることを特徴とする。
【００３２】
上記課題を解決するための第１６の発明は、上記第１２から第１４のいずれかの発明において、
前記アクセス制御ステップは、
前記端末から送信された、前記識別情報、ネットワーク識別子、ＴＳ識別子、又は中継局の識別子を受信する受信ステップと、
前記受信した前記識別情報、ネットワーク識別子、ＴＳ識別子、又は中継局の識別子に対応するサーバ識別子を前記識別情報、ネットワーク識別子、ＴＳ識別子、又は中継局の識別子と、サーバ識別子とが対応付けられたテーブルから検索する検索ステップと、
前記端末に前記検索したサーバ識別子に対応するサーバへアクセスさせるステップと
を有することを特徴とする。
【００３３】
上記課題を解決するための第１７の発明は、
負荷分散方法であって、
放送波を受信する受信ステップと、
前記放送波を受信した中継局の識別子をアクセスすべきサーバのドメインの一部又は全部として用いてサーバ識別子を生成する生成ステップと、
前記受信した放送波に前記生成したサーバ識別子を付与して再送信する再送信ステップと、
前記再送信された放送波から前記サーバ識別子を取得する取得ステップと、
前記再送信された放送波を受信した端末に、前記取得したサーバ識別子に対応するサーバへアクセスさせるアクセスステップと
を有することを特徴とする。
【００３４】
上記課題を解決するための第１８の発明は、
端末のプログラムであって、前記プログラムは前記端末を、
受信した放送波からネットワーク識別子、ＴＳ識別子、又は中継局の識別子を取得する取得手段と、
前記取得したネットワーク識別子、ＴＳ識別子、又は中継局の識別子に基づいて、前記ネットワーク識別子、ＴＳ識別子、又は中継局の識別子に対応するサーバにアクセスするアクセス手段と
して機能させることを特徴とする。
【００３５】
上記課題を解決するための第１９の発明は、上記第１８の発明において、
前記プログラムが、前記アクセス手段を、前記ネットワーク識別子、ＴＳ識別子、又は中継局の識別子をサーバのドメインの一部又は全部に持つサーバにアクセスさせる手段として機能させることを特徴とする。
【００３６】
上記課題を解決するための第２０の発明は、
負荷分散装置のプログラムであって、前記プログラムは前記負荷分散装置を、
端末が受信した放送波のネットワーク識別子、ＴＳ識別子、又は中継局の識別子を受信する受信手段と、
前記受信したネットワーク識別子、ＴＳ識別子、又は中継局の識別子に対応付けられたサーバ識別子を前記ネットワーク識別子、ＴＳ識別子、又は中継局の識別子と、サーバ識別子とが対応付けられたテーブルから検索し、このサーバ識別子に対応するサーバに、放送波を受信した端末をアクセスさせるアクセス制御手段と
して機能させることを特徴とする。
【００３７】
上記課題を解決するための第２１の発明は、
負荷分散システムにおける中継局のプログラムであって、前記プログラムは前記中継局を、
受信した放送波に自局の識別子を付与して放送波を再送信する再送信手段と
して機能させることを特徴とする。
【００３８】
上記課題を解決するための第２２の発明は、
負荷分散システムにおける中継局のプログラムであって、前記プログラムは前記中継局を、
自局の中継局識別子をアクセスすべきサーバのドメインの一部又は全部として用いてサーバ識別子を生成する生成手段と、
受信した放送波に前記生成したサーバ識別子を付与して放送波を再送信する再送信手段と
して機能させることを特徴とする。
【発明の効果】
【００３９】
本発明によると、放送波から送信元を識別する情報を取得し、取得した送信元を識別する情報に基づいて放送波を受信した受信端末がアクセスするコンテンツサーバを決定させているので、放送局にサーバの負荷分散のための機能を新たに設けることなく、また受信端末に位置検出機能や放送局に自身の位置を送信する機能などの特別な機能を設けることなくサーバの負荷分散ができる。
【００４０】
特に、通常の放送波に含まれるネットワーク識別子又はＴＳ識別子に基づいて、放送波を受信した受信端末がアクセスするコンテンツサーバを決定させているので、放送局にサーバの負荷分散のための機能を新たに設けることなく、また受信端末に位置検出手段や放送局に自身の位置を送信する手段などの特別な機能を設けることなくサーバの負荷分散ができる。
【００４１】
また、本発明によると、放送波を受信して再送信する中継局において自局の中継局識別子を付与し、再送信された放送波に含まれる中継局識別子に基づいて、放送波を受信した受信端末がアクセスするコンテンツサーバを決定させているので、放送局にサーバの負荷分散のための機能を新たに設けることなく、また受信端末に位置検出機能や放送局に自身の位置を送信する機能などの特別な機能を設けることなくサーバの負荷分散ができる。
【００４２】
また、本発明によると、放送波を受信して再送信する中継局において、再送信された放送波を受信した受信端末がアクセスするコンテンツサーバを決定させているので、放送局にサーバの負荷分散のための機能を新たに設けることなく、また受信端末に位置検出機能や放送局に自身の位置を送信する機能などの特別な機能を設けることなくサーバの負荷分散ができる。
【００４３】
また、本発明によると、キー局も各ネット（地方）局も同一のＢＭＬコンテンツを送信することができ、尚且つ、適切にサーバの負荷分散をすることが出来る。
【発明を実施するための最良の形態】
【００４４】
本発明における第１の実施の形態について説明する。
【００４５】
図１は、本発明における負荷分散システムの概略図である。
【００４６】
本発明の負荷分散システムは、放送局１０、受信端末２０、及びサーバ３０を有する。
【００４７】
放送局１０は、送信局１０１を介して、番組などの情報が記載されたＴＳ（Transport Stream）パケットを放送波として送信する。
【００４８】
受信端末２０は、送信局１０１から送信された放送波を受信して表示する機能を有する。また受信端末２０は、通信回線やネットワークを介してサーバに接続するための機能を有す。尚、受信端末２０は、固定テレビ受信機、携帯電話、ＰＤＡ（Personal Data Assistant）、又はＰＣ（Personal Computer）のように、放送波を受信して表示する機能とサーバに接続する機能とを有する装置であれば良い。又、サーバ３０から受信端末２０が取得するコンテンツは映像や音声であっても良いし、インターネットで標準的に用いられるＨＴＭＬコンテンツやＢＭＬコンテンツ等であっても良い。即ち、受信端末２０が取得して利用できる情報であれば良い。
【００４９】
ここで、受信端末２０について詳細に説明する。
【００５０】
図２は、受信端末２０のブロック図である。
【００５１】
受信端末２０は、チューナ２０１、復調部２０２、ＴＳデコード部２０３、ＴＳフィルタ部２０４、ＢＭＬ実行部２０５、抽出部２０６、及びアクセス制御部２０７を有する。
【００５２】
チューナ２０１は、放送局１０が送信局１０１を介して送信した放送波を受信する。
【００５３】
復調部２０２は、受信した放送波を復調する。
【００５４】
ＴＳデコード部２０３は、復調された放送波からＴＳパケットをデコードする。
【００５５】
ＴＳフィルタ部２０４は、ＴＳデコード部２０３が出力したＴＳから必要なデータを取り出して各部に送出する。
【００５６】
ＢＭＬ実行部２０５は、ＴＳフィルタ部２０４から送出されたＢＭＬ文書の記述内容に従って各種処理するものである。そして、ＢＭＬ文書にネットワーク識別子又はＴＳ識別子を得るための命令文、例えば“getProgramID”の命令文がある場合、抽出部２０６に“getProgramID”の命令を出す。図３は、ＢＭＬ文書の一例である。尚、“getProgramID”は、ＢＭＬの命令文の１つであり、ネットワーク識別子、又はＴＳ識別子を得ることができる命令であればこれに限らない。
又、ＢＭＬ実行部２０５は、ＢＭＬ文書に記載されている、アクセスすべきサーバのトップレベルドメイン及び第２レベルドメインをアクセス制御部２０７に渡す。本実施例では、トップレベルドメインとして“ｊｐ”、第２レベルドメインとして“ｘｘｘ”を用いて説明する。尚、本実施の形態ではトップレベルドメインとして“ｊｐ”を用いて説明するが、“ｃｏｍ”や“ｎｅｔ”等であってもよく、“ｊｐ”に限定されるものではない。同様に、第２レベルドメインとして“ｘｘｘ”を用いて説明するが、これに限るものではない。
【００５７】
抽出部２０６は、ＢＭＬ実行部２０５から“getProgramID”の命令を受けると、ＰＳＩ／ＳＩ（Program Specific Information / Service Information）からネットワーク識別子又はＴＳ識別子を抽出してアクセス制御部２０７に渡す。このネットワーク識別子又はＴＳ識別子は、図４に示すように、規約により放送事業者（放送局）毎に割り当てられている識別子である。通常、放送局１０は自局に割り当てられているネットワーク識別子又はＴＳ識別子をＴＳに挿入して送信する。例えば、受信端末２０が選択した番組がＡＡＡ放送によって放送された番組である場合、抽出部２０６はＴＳから“Ａ００１”を抽出する。
【００５８】
アクセス制御部２０７は、抽出部２０６が抽出したネットワーク識別子又はＴＳ識別子を第３レベルドメイン（サブドメイン）として、ＢＭＬ実行部２０５からのトップレベルドメイン及び第２レベルドメインに追加してドメインを生成する。更に、生成したドメインを用いて、このドメインが識別子として割り振られているサーバ３０にアクセスする。例えば、抽出部２０６が抽出した識別子が“Ａ００１”である場合、アクセス制御部２０７は“Ａ００１．ｘｘｘ．ｊｐ”のドメインを持つサーバにアクセスする。
【００５９】
サーバ３０はコンテンツサーバであり、受信端末２０は通信回線やネットワークを介してサーバ３０にアクセスできる。サーバ３０は、通信回線やネットワーク上に複数設けられており、ドメインにより各サーバを一意に識別することができる。尚、本実施の形態ではコンテンツを格納したコンテンツサーバを用いて説明するが、これに限るものではない。例えばメールを送受信するメールサーバ等のようにデータを送受信するサーバであれば良い。
【００６０】
続いて、本実施の形態の動作について説明する。
【００６１】
チューナ２０１により所定の放送波が選局されて受信されると、受信した放送波は復調部２０２で復調される。
【００６２】
ＴＳデコード部２０３は復調された放送波からＴＳパケットをデコードし、ＴＳフィルタ部２０４がＴＳから必要なデータを取り出す。
【００６３】
ＢＭＬ実行部２０５は、ＴＳフィルタ部２０４から送出されたＢＭＬ文書の記述内容に従って、抽出部２０６に“getProgramID”の命令を出す。更に、ＢＭＬ実行部２０５はトップレベルドメイン“ｊｐ”及び第２レベルドメイン“ｘｘｘ”をアクセス制御部２０７に渡す。
【００６４】
抽出部２０６は、ＢＭＬ実行部２０５から“getProgramID”の命令を受けると、ＰＳＩ／ＳＩからネットワーク識別子又はＴＳ識別子“Ａ００１”を抽出してアクセス制御部２０７に渡す。
【００６５】
アクセス制御部２０７は、抽出部２０６からの“Ａ００１”と、ＢＭＬ実行部２０５からの“ｊｐ”及び“ｘｘｘ”とからドメイン“Ａ００１．ｘｘｘ．ｊｐ”を生成する。
【００６６】
アクセス制御部２０７は生成したドメインを用いて、このドメインにより識別されるサーバにアクセスする。
【００６７】
上述した実施の形態では、アクセス制御部２０７は、抽出部２０６から第３レベルドメインになる情報を、ＢＭＬ実行部２０５からトップレベルドメイン及び第２レベルドメインになる情報を受け取ってドメインを生成する構成について説明したが、この構成に限るものではない。例えば、抽出部２０６から第２レベルドメインになる情報を、ＢＭＬ実行部２０５からトップレベルドメインになる情報を受け取ってドメインを生成したり、抽出部２０６から第４レベルドメインになる情報を、ＢＭＬ実行部２０５からのトップレベルドメイン、第２レベルドメイン、及び第３レベルドメインになる情報を受け取ってドメインを生成したりというように、放送波に含まれているネットワーク識別子又はＴＳ識別子からドメインが生成できる構成であれば良い。
【００６８】
上記本実施の形態の構成を用いると、受信端末２０が受信した放送波を送信している放送局を一意に識別する識別子に基づいて、この識別子に対応するサーバにアクセスさせているので、放送局で特別なデータを生成する必要が無く、サーバの負荷分散ができる。特に、データ放送において、受信端末が受信した放送波を送信した放送局によってアクセスすべきサーバが異なる構成において、各サーバのドメインは端末で生成されるため、各放送局から送信するデータ放送のコンテンツ（ＢＭＬ文書）は異なる必要はない。
【００６９】
次に、本発明における第２の実施の形態について説明する。
【００７０】
上記第１の実施の形態では、通常の放送波に含まれているネットワーク識別子又はＴＳ識別子を用いて、受信端末のアクセス先となるサーバを決定する構成について説明した。
【００７１】
本実施の形態では、放送局から送信された放送波に中継局が自局の識別子を放送波に付与して再送信した放送波から中継局の識別子を抽出し、この中継局の識別子を用いて、受信端末のアクセス先となるサーバを決定する構成について説明する。尚、上記実施の形態と同様の構成については同一番号を付し、詳細な説明を省略する。
【００７２】
図５は本実施の形態を示す概要図である。送信局１０１と受信端末２０との間に中継局４０が設けられる。
【００７３】
放送局１０は、送信局１０１を介して、番組などの情報が記載されたＴＳ（Transport Stream）パケットを放送波として送信する。
【００７４】
中継局４０は、送信局１０１からの放送波を受信し、受信した放送波に自局の中継局識別情報を付加して放送波を再送信する。
【００７５】
ここで中継局４０について詳細に説明する。
【００７６】
図６は中継局のブロック図である。中継局４０は、受信部４０１、復調部４０２、付加部４０３、変調部４０４、及び送信部４０５を有する。
【００７７】
受信部４０１は、送信局１０１からの放送波を受信する。
【００７８】
復調部４０２は、受信部４０１が受信した放送波を復調する。
【００７９】
付加部４０３は、復調部４０２で復調されたＴＳのＰＳＩ／ＳＩに自局の中継局識別子を付加する。この中継局識別子は、各中継局を一意に識別する識別子である。尚、中継局識別子は、付加部４０３が保持していても、中継局４０内の記憶部（図示せず）が保持していても良い。又、本実施の形態では、ＰＳＩ／ＳＩに自局の中継局識別子を付加する構成を用いて説明するが、これに限るものではない。例えば、ＢＭＬ文書等のようにＰＳＩ／ＳＩ以外であっても良く、ＴＳやＴＭＣＣ（Transmission and Multiplexing Configuration Control）等の放送波に付加しても良い。
【００８０】
変調部４０４は、中継局識別子が付加されたＴＳを変調する。
【００８１】
送信部４０５は、変調部４０４が変調したＴＳを放送波として再送信する。
【００８２】
受信端末２０は、中継局４０から送信された放送波を受信して表示する機能を有する。また受信端末２０は、通信回線やネットワークを介してサーバに接続するための機能を有す。尚、受信端末２０は、固定テレビ受信機、携帯電話、ＰＤＡ（Personal Data Assistant）、又はＰＣ（Personal Computer）のように、放送波を受信して表示する機能とサーバに接続する機能とを有する装置であれば良い。又、サーバ３０から受信端末２０が取得するコンテンツは映像や音声であっても良いし、インターネットで標準的に用いられるＨＴＭＬコンテンツやＢＭＬコンテンツ等であっても良い。即ち、受信端末２０が取得して利用できる情報であれば良い。
【００８３】
ここで、受信端末２０について詳細に説明する。
【００８４】
図７は、受信端末２０のブロック図である。
【００８５】
受信端末２０は、チューナ２０１、復調部２０２、ＴＳデコード部２０３、ＴＳフィルタ部２０４、ＢＭＬ実行部２０５、抽出部２０６、及びアクセス制御部２０７を有する。
【００８６】
チューナ２０１は、中継局４０から再送信された放送波を受信する。
【００８７】
復調部２０２は、受信した放送波を復調する。
【００８８】
ＴＳデコード部２０３は、復調された放送波からＴＳパケットをデコードする。
【００８９】
ＴＳフィルタ部２０４は、ＴＳデコード部２０３が出力したＴＳから必要なデータを取り出して各部に送出する。
【００９０】
ＢＭＬ実行部２０５は、ＴＳフィルタ部２０４から送出されたＢＭＬ文書の記述内容に従って各種処理するものである。そして、ＢＭＬ実行部２０５は、中継局識別子を抽出するための命令文がＢＭＬ文書にある場合、その命令を抽出部２０６に出す。
又、ＢＭＬ実行部２０５は、ＢＭＬ文書に記載されている、アクセスすべきサーバのトップレベルドメイン及び第２レベルドメインをアクセス制御部２０７に渡す。本実施例では、ＢＭＬ文書に記載されている、アクセスすべきサーバのトップレベルドメインとして“ｊｐ”、第２レベルドメインとして“ｘｘｘ”を用いて説明する。尚、本実施の形態ではトップレベルドメインとして“ｊｐ”を用いて説明するが、“ｃｏｍ”や“ｎｅｔ”等であってもよく、“ｊｐ”に限定されるものではない。同様に、第２レベルドメインとして“ｘｘｘ”を用いて説明するが、これに限るものではない。
【００９１】
抽出部２０６は、ＢＭＬ実行部２０５からの命令を受けて、中継局４０で付加された中継局識別子を抽出する。尚、ここでは、“４０１Ｇ”を中継局４０の中継局識別子として説明する。
【００９２】
アクセス制御部２０７は、抽出部２０６が抽出した中継局識別子を第３レベルドメイン（サブドメイン）として、ＢＭＬ実行部２０５からのトップレベルドメイン及び第２レベルドメインに追加してドメインを生成する。更に、生成したドメインを用いて、このドメインが識別子として割り振られているサーバ３０にアクセスする。例えば、抽出部２０６が抽出した識別子が“４０１Ｇ”である場合、アクセス制御部２０７は“４０１Ｇ．ｘｘｘ．ｊｐ”のドメインを持つサーバにアクセスする。
【００９３】
サーバ３０はコンテンツサーバであり、受信端末２０は通信回線やネットワークを介してサーバ３０にアクセスできる。サーバ３０は、通信回線やネットワーク上に複数設けられており、ドメインにより各サーバを一意に識別することができる。尚、本実施の形態ではコンテンツを格納したコンテンツサーバを用いて説明するが、これに限るものではない。例えばメールを送受信するメールサーバ等のようにデータを送受信するサーバであれば良い。
【００９４】
続いて、本実施の形態の動作について説明する。まず、中継局４０の動作について説明する。
【００９５】
送信局１０１から送信された放送波は、受信部４０１により受信され、復調部４０２にて復調される。付加部４０３は、復調されたＴＳのＰＳＩ／ＳＩに自局の中継局識別子“４０１Ｇ”を付加する。
【００９６】
中継局識別子が付加されたＴＳは、変調部４０４で変調されて、送信部４０５により放送波として再送信される。
【００９７】
続いて、受信端末２０の動作について説明する。
【００９８】
チューナ２０１により所定の放送波が選局されて受信されると、受信した放送波は復調部２０２で復調される。
【００９９】
ＴＳデコード部２０３は復調された放送波からＴＳパケットをデコードし、ＴＳフィルタ部２０４がＴＳから必要なデータを取り出す。
【０１００】
ＢＭＬ実行部２０５は、ＴＳフィルタ部２０４から送出されたＢＭＬ文書の記述内容に従って、抽出部２０６に中継局識別子を抽出するための命令を出す。更に、ＢＭＬ実行部２０５はトップレベルドメイン“ｊｐ”及び第２レベルドメイン“ｘｘｘ”をアクセス制御部２０７に渡す。
【０１０１】
抽出部２０６は、ＢＭＬ実行部２０５から中継局識別子を抽出するための命令を受けると、中継局識別子“４０１Ｇ”を抽出してアクセス制御部２０７に渡す。
【０１０２】
アクセス制御部２０７は、抽出部２０６からの“４０１Ｇ”と、ＢＭＬ実行部２０５からの“ｊｐ”及び“ｘｘｘ”とからドメイン“４０１Ｇ．ｘｘｘ．ｊｐ”を生成する。
【０１０３】
アクセス制御部２０７は生成したドメインを用いて、このドメインにより識別されるサーバにアクセスする。
【０１０４】
本実施の形態では、アクセス制御部２０７は、抽出部２０６から第３レベルドメインになる情報を、ＢＭＬ実行部２０５からトップレベルドメイン及び第２レベルドメインになる情報を受け取ってドメインを生成する構成について説明したが、この構成に限るものではない。第１の実施の形態と同様に、例えば、抽出部２０６から第２レベルドメインになる情報を、ＢＭＬ実行部２０５からトップレベルドメインになる情報を受け取ってドメインを生成したり、抽出部２０６から第４レベルドメインになる情報を、ＢＭＬ実行部２０５からのトップレベルドメイン、第２レベルドメイン、及び第３レベルドメインになる情報を受け取ってドメインを生成したりというように、中継局から再送信された放送波に含まれている中継局識別子からドメインが生成できる構成であれば良い。
【０１０５】
上記第２の実施の形態の構成を用いると、受信端末２０が受信した放送波を送信している中継局を一意に識別する識別子に対応するサーバにアクセスさせているので、サーバの負荷を分散することができる。
【０１０６】
次に、第３の実施の形態について説明する。
【０１０７】
上記第２の実施の形態では、受信端末２０でドメインを生成している構成を用いて説明した。
【０１０８】
本実施の形態では、中継局４０でドメインを生成する構成について説明する。尚、上記実施の形態と同様の構成については同一番号を付し詳細な説明を省略する。
【０１０９】
本実施の形態の概要図は上記第２の実施の形態で用いた図５と同様であるため、図５を用いて説明する。
【０１１０】
中継局４０は、上記第２の実施の形態で用いた図６と同様であるため、図６を用いて説明する。
【０１１１】
中継局４０は、受信部４０１、復調部４０２、付加部４０３、変調部４０４、及び送信部４０５を有する。
【０１１２】
受信部４０１は、送信局１０１からの放送波を受信する。
【０１１３】
復調部４０２は、受信部４０１が受信した放送波を復調する。
【０１１４】
本実施の形態の付加部４０３の機能は、上記第２の実施の形態と異なり、自局の中継局識別子と、受信した放送波のＢＭＬ文書に記載されているトップレベルドメイン及び第２レベルドメインとからドメインを生成し、この生成したドメインをＢＭＬ文書に挿入する。この中継局識別子は、各中継局を一意に識別する識別子である。尚、中継局識別子は、付加部４０３が保持していても、中継局４０内の記憶部（図示せず）が保持していても良い。又、本実施例では、自局の中継局識別子として“４０１Ｇ”を、ＢＭＬ文書に記載されている、アクセスすべきサーバのトップレベルドメインとして“ｊｐ”を、第２レベルドメインとして“ｘｘｘ”を用いて説明する。又、本実施例では、ＢＭＬ文書に記載されているトップレベルドメインを“ｊｐ”、第２レベルドメインを“ｘｘｘ”として説明するが、トップレベルドメインは“ｃｏｍ”や“ｎｅｔ”等であってもよく、“ｊｐ”に限定されるものではなく、又同様に、第２レベルドメインもこれに限るものではない。
【０１１５】
変調部４０４は、中継局識別子が付加されたＴＳを変調する。
【０１１６】
送信部４０５は、変調部４０４が変調したＴＳを放送波として再送信する。
【０１１７】
受信端末２０は、中継局４０から送信された放送波を受信して表示する機能を有する。また受信端末２０は、通信回線やネットワークを介してサーバに接続するための機能を有す。尚、受信端末２０は、固定テレビ受信機、携帯電話、ＰＤＡ（Personal Data Assistant）、又はＰＣ（Personal Computer）のように、放送波を受信して表示する機能とサーバに接続する機能とを有する装置であれば良い。又、サーバ３０から受信端末２０が取得するコンテンツは映像や音声であっても良いし、インターネットで標準的に用いられるＨＴＭＬコンテンツやＢＭＬコンテンツ等であっても良い。即ち、受信端末２０が取得して利用できる情報であれば良い。
【０１１８】
ここで、受信端末２０について詳細に説明する。図８は、本実施の形態の受信端末２０の構成図である。第２の実施の形態の構成と比べて、本実施の形態の受信端末２０は抽出部２０６が構成されていない点が異なる。
【０１１９】
チューナ２０１は、中継局４０から再送信された放送波を受信する。
【０１２０】
復調部２０２は、受信した放送波を復調する。
【０１２１】
ＴＳデコード部２０３は、復調された放送波からＴＳパケットをデコードする。
【０１２２】
ＴＳフィルタ部２０４は、ＴＳデコード部２０３が出力したＴＳから必要なデータを取り出して各部に送出する。
【０１２３】
ＢＭＬ実行部２０５は、ＴＳフィルタ部２０４から送出されたＢＭＬ文書の記述内容に従って各種処理するものである。ＢＭＬ実行部２０５は、ＴＳフィルタ部２０４から送出されたＢＭＬ文書に記載されているドメインをアクセス制御部２０７に渡す。
【０１２４】
アクセス制御部２０７は、ＢＭＬ実行部２０５からのドメインを用いて、このドメインが識別子として割り振られているサーバ３０にアクセスする。例えば、ＢＭＬ実行部２０５からのドメインが“４０１Ｇ．ｘｘｘ．ｊｐ”である場合、アクセス制御部２０７は“４０１Ｇ．ｘｘｘ．ｊｐ”のドメインを持つサーバにアクセスする。
【０１２５】
サーバ３０はコンテンツサーバであり、受信端末２０は通信回線やネットワークを介してサーバ３０にアクセスできる。サーバ３０は、通信回線やネットワーク上に複数設けられており、ドメインにより各サーバを一意に識別することができる。尚、本実施の形態ではコンテンツを格納したコンテンツサーバを用いて説明するが、これに限るものではない。例えばメールを送受信するメールサーバ等のようにデータを送受信するサーバであれば良い。
【０１２６】
続いて、本実施の形態の動作について説明する。まず、中継局４０の動作について説明する。
【０１２７】
送信局１０１から送信された放送波は、受信部４０１により受信され、復調部４０２にて復調される。
【０１２８】
付加部４０３は、自局の中継局識別子“４０１Ｇ”と、受信した放送波のＢＭＬ文書に記載されているトップレベルドメイン“ｊｐ”及び第２レベルドメイン“ｘｘｘ”とから生成したドメイン“４０１Ｇ．ｘｘｘ．ｊｐ”をＢＭＬ文書に挿入する。
【０１２９】
付加部４０３でドメイン“４０１Ｇ．ｘｘｘ．ｊｐ”が挿入されると、変調部４０４で変調されて、送信部４０５により放送波として再送信される。
【０１３０】
続いて、受信端末２０の動作について説明する。
【０１３１】
チューナ２０１により所定の放送波が選局されて受信されると、受信した放送波は復調部２０２で復調される。
【０１３２】
ＴＳデコード部２０３は復調された放送波からＴＳパケットをデコードし、ＴＳフィルタ部２０４がＴＳから必要なデータを取り出す。
【０１３３】
ＢＭＬ実行部２０５は、ＴＳフィルタ部２０４から送出されたＢＭＬ文書に記載されている“４０１Ｇ．ｘｘｘ．ｊｐ”をアクセス制御部２０７に渡す。
【０１３４】
アクセス制御部２０７はＢＭＬ実行部２０５からのドメイン“４０１Ｇ．ｘｘｘ．ｊｐ”を用いて、このドメインにより識別されるサーバにアクセスする。
【０１３５】
本実施の形態では、付加部４０３はＢＭＬ文書からトップレベルドメイン及び第２レベルドメインになる情報を得て、自局の中継局識別子を第３レベルドメインにしてドメインを生成する構成について説明したが、この構成に限るものではない。例えば、ＢＭＬ文書からトップレベルドメインになる情報を得て、自局の中継局識別子を第２レベルドメインにしてドメインを生成したり、ＢＭＬ文書からトップレベルドメイン、第２レベルドメイン、及び第３ドメインになる情報を得て、自局の中継局識別子を第４レベルドメインにしてドメインを生成したりというように、中継局識別子からドメインが生成できる構成であれば良い。
【０１３６】
上記第３の実施の形態の構成を用いると、受信端末２０が受信した放送波を送信している中継局を一意に識別する識別子に対応するサーバにアクセスさせているので、サーバの負荷を分散することができる。
【０１３７】
次に、第４の実施の形態について説明する。
【０１３８】
上記実施の形態では、受信端末２０又は中継局４０で受信端末２０のアクセス先のドメインを生成する構成について説明した。
【０１３９】
本実施の形態では、受信端末２０とサーバ３０との間に負荷分散装置を設け、負荷分散装置で受信端末２０のアクセス先のサーバを決定させる構成について説明する。尚、上記実施の形態と同様の構成については同一の番号を付し、詳細な説明は省略する。
【０１４０】
図９は、本実施の形態の概要図である。受信端末２０とサーバ３０との間に負荷分散装置５０が設けられている。
【０１４１】
放送局１０は、送信局１０１を介して、番組などの情報が記載されたＴＳ（Transport Stream）パケットを放送波として送信する。
【０１４２】
受信端末２０は、送信局１０１から送信された放送波を受信して表示する機能を有する。また受信端末２０は、通信回線やネットワークを介してサーバに接続するための機能を有す。尚、受信端末２０は、固定テレビ受信機、携帯電話、ＰＤＡ（Personal Data Assistant）、又はＰＣ（Personal Computer）のように、放送波を受信して表示する機能とサーバに接続する機能とを有する装置であれば良い。又、サーバ３０から受信端末２０が取得するコンテンツは映像や音声であっても良いし、インターネットで標準的に用いられるＨＴＭＬコンテンツやＢＭＬコンテンツ等であっても良い。即ち、受信端末２０が取得して利用できる情報であれば良い。
【０１４３】
ここで、受信端末２０について詳細に説明する。図１０は、受信端末２０のブロック図である。第１の実施の形態のアクセス制御部２０７の代わりに接続部２０８が設けられている。
【０１４４】
受信端末２０は、チューナ２０１、復調部２０２、ＴＳデコード部２０３、ＴＳフィルタ部２０４、ＢＭＬ実行部２０５、抽出部２０６、及び接続部２０８を有する。
【０１４５】
チューナ２０１は、放送局１０が送信局１０１を介して送信した放送波を受信する。
【０１４６】
復調部２０２は、受信した放送波を復調する。
【０１４７】
ＴＳデコード部２０３は、復調された放送波からＴＳパケットをデコードする。
【０１４８】
ＴＳフィルタ部２０４は、ＴＳデコード部２０３が出力したＴＳから必要なデータを取り出して各部に送出する。
【０１４９】
ＢＭＬ実行部２０５は、ＴＳフィルタ部２０４から送出されたＢＭＬ文書の記述内容に従って各種処理するものである。そして、ＢＭＬ文書にネットワーク識別子又はＴＳ識別子を得るための命令文、例えば“getProgramID”の命令文がある場合、抽出部２０６に“getProgramID”の命令を出す。第１の実施の形態と比べて、ＢＭＬ実行部２０５の機能が異なり、本実施の形態ではＢＭＬ文書にネットワーク識別子又はＴＳ識別子を得るための命令文、例えば“getProgramID”の命令文がある場合、抽出部２０６に“getProgramID”の命令を出すのみである。尚、“getProgramID”は、ＢＭＬの命令文の１つであり、ネットワーク識別子、又はＴＳ識別子を得ることができる命令であればこれに限らない。
【０１５０】
抽出部２０６は、第１の実施の形態と同様、ＢＭＬ実行部２０５から“getProgramID”の命令を受けるとネットワーク識別子又はＴＳ識別子を抽出して接続部２０８に渡す。
【０１５１】
接続部２０８は、負荷分散装置５０に接続して、抽出部２０６が抽出したネットワーク識別子又はＴＳ識別子を渡す。
【０１５２】
図１１は、負荷分散装置５０のブロック図である。
【０１５３】
負荷分散装置５０は、受信部５０１、記憶部５０２、及びアクセス制御部５０３を有す。
【０１５４】
受信部５０１は、受信端末２０から送信されたネットワーク識別子又はＴＳ識別子を受信してアクセス制御部５０３に送出する。
【０１５５】
記憶部５０２には、図１２に示すように、ネットワーク識別子又はＴＳ識別子とドメインとが対応付けられたテーブルが記憶されている。
例えば、首都圏などのように人口が多い地域の場合、同一のネットワーク識別子、又はＴＳ識別子が入った放送波を受信する受信端末の数が多くなる。そのため、そのネットワーク識別子、又はＴＳ識別子に対応付けられたサーバを複数設ける必要がある。その場合、例えば、図１２のネットワーク識別子、ＴＳ識別子“Ｃ００１”のように、この識別子に対応付けるドメイン名（サーバ）を複数用意する。尚、１つのネットワーク識別子、又はＴＳ識別子に対応付けるサーバの数はいくつでも良い。
一方で、同一のネットワーク識別子、又はＴＳ識別子が入った放送波を受信する受信端末の数が少ない場合もある。その場合、例えば、図１２のネットワーク識別子、ＴＳ識別子“Ｄ００１”及び“Ｅ００１”のように、同一のドメイン名（サーバ）を対応付ける。
【０１５６】
アクセス制御部５０３は、受信部５０１が受信したネットワーク識別子又はＴＳ識別子に基づいて、このネットワーク識別子又はＴＳ識別子に対応付けられているドメインを記憶部５０２から検索する。例えば、図１２のネットワーク識別子、ＴＳ識別子“Ｃ００１”のように、この識別子に対応付けられているドメイン名（サーバ）が複数ある場合、交互にアクセスさせてもよいし、各サーバへのアクセス状況を考慮してアクセスさせても良く、本発明においては如何なるものでもよい。
【０１５７】
更に、アクセス制御部５０３は、検索されたドメインを用いて、このドメインにより識別されるサーバへ受信端末２０にアクセスさせる。
【０１５８】
尚、検索されたドメインを用いて、このドメインにより識別されるサーバへ受信端末２０にアクセスさせる方法としていくつか挙げられる。
【０１５９】
例えば、アクセス制御部５０３が検索したドメインを受信端末２０に送信し、受信端末２０はこのドメインを用いてこのドメインにより識別されるサーバにアクセスする方法や、負荷分散装置５０から検索したドメインのサーバにコンテンツデータを受信端末２０に送信するように要求する方法などが挙げられるが、本発明においては、如何なるものでも良い。
【０１６０】
サーバ３０はコンテンツサーバであり、受信端末２０は通信回線やネットワークを介してサーバ３０にアクセスできる。サーバ３０は、通信回線やネットワーク上に複数設けられており、ドメインにより各サーバを一意に識別することができる。尚、本実施の形態ではコンテンツを格納したコンテンツサーバを用いて説明するが、これに限るものではない。例えばメールを送受信するメールサーバ等のようにデータを送受信するサーバであれば良い。
【０１６１】
続いて、本実施の形態の動作について説明する。尚、ここでは、抽出部２０６が抽出するネットワーク識別子又はＴＳ識別子として“Ａ００１”を用いて説明する。
【０１６２】
放送波が受信端末２０のチューナ２０１により受信されると、復調部２０２で復調される。
【０１６３】
ＴＳデコード部２０３は復調された放送波からＴＳパケットをデコードし、ＴＳフィルタ部２０４がＴＳから必要なデータを取り出す。
【０１６４】
ＢＭＬ実行部２０５は、ＴＳフィルタ部２０４から送出されたＢＭＬ文書の記述内容に従って、抽出部２０６に“getProgramID”の命令を出す。
【０１６５】
抽出部２０６は、ＢＭＬ実行部２０５から“getProgramID”の命令を受けると、ＰＳＩ／ＳＩからネットワーク識別子又はＴＳ識別子“Ａ００１”を抽出して接続部２０８に渡す。
【０１６６】
接続部２０８は、負荷分散装置５０に接続し、抽出部２０６からの“Ａ００１”を渡す。
【０１６７】
負荷分散装置５０の受信部５０１は、“Ａ００１”を受信してアクセス制御部５０に送出する。
【０１６８】
アクセス制御部５０３は、受信した“Ａ００１”に基づいて、この“Ａ００１”に対応付けられているドメイン“Ａ００１．ｘｘｘ．ｊｐ”を検索する。
【０１６９】
アクセス制御部５０３は、検索された“Ａ００１．ｘｘｘ．ｊｐ”を用いて、
このドメインにより識別されるサーバへ受信端末２０にアクセスさせる。
【０１７０】
尚、本実施の形態ではネットワーク識別子又はＴＳ識別子に基づいてサーバを決定していたが、更にサーバのアクセス状況を考慮してサーバを決定する構成にしてもよい。
【０１７１】
又、記憶部５０２にネットワーク識別子又はＴＳ識別子とドメインとが対応付けられたテーブルが記憶されている構成について説明したが、ＩＰアドレス等のようにアクセスすべきサーバを識別できれば良く、ドメインに限るものではない。
【０１７２】
又、本実施の形態の記憶部５０２では、ネットワーク識別子、ＴＳ識別子と、ドメイン名とを対応付けたテーブルを有する場合について説明したが、図１３に示すように、ネットワーク識別子、ＴＳ識別子と、電話番号とを対応付けたテーブルを記憶させてもよい。その場合、受信端末２０は電話機能を備え、自身が受信した放送波のネットワーク識別子又はＴＳ識別子に対応付けられた電話番号を負荷分散装置５０から受信してその電話番号に発呼する構成となる。
【０１７３】
上記本実施の形態の構成を用いると、受信端末２０が受信した放送波を送信している放送局を一意に識別する識別子に基づいて、この識別子に対応するサーバにアクセスさせているので、放送局で特別なデータを生成する必要が無く、サーバの負荷分散ができる。特に、データ放送において、受信端末が受信した放送波を送信した放送局によってアクセスすべきサーバが異なる構成において、各サーバのドメインは負荷分散装置より取得されるため、各放送局から送信するデータ放送のコンテンツ（ＢＭＬ文書）は異なる必要はない。
【０１７４】
又、上記第１から第３の実施の形態に比べて、より効率良くサーバの負荷分散ができる。これは、ネットワーク識別子又はＴＳ識別子とドメインとが対応付けられたテーブルを負荷分散装置５０に設けており、同一のネットワーク識別子又はＴＳ識別子が入った放送波を受信する受信端末の数に応じて、その中継局識別子に対応付けるドメインの数を増減させているからである。
【０１７５】
次に、第５の実施の形態について説明する。
【０１７６】
上記第４の実施の形態では、通常の放送波に含まれるネットワーク識別子又はＴＳ識別子に基づいてサーバを決定する構成について説明した。本実施の形態では、第２の実施の形態のように中継局識別子に基づいてサーバを決定する構成について説明する。尚、上記実施の形態と同様の構成については同一の番号を付し、詳細な説明は省略する。また、中継局４０の構成は上記第２の実施の形態と同様の構成を用い、受信端末２０の構成は第４の実施の形態と同様の構成を用いて説明する。
【０１７７】
図１４は、本実施の形態の概要図である。
【０１７８】
放送局１０は、送信局１０１を介して、番組などの情報が記載されたＴＳ（Transport Stream）パケットを放送波として送信する。
【０１７９】
中継局４０は、送信局１０１からの放送波を受信し、受信した放送波に自局の中継局識別情報を付加して放送波を再送信する。
【０１８０】
ここで中継局４０について詳細に説明する。尚、中継局のブロック図は第２の実施の形態と同様であるため、図６を用いて説明する。
【０１８１】
中継局４０は、受信部４０１、復調部４０２、付加部４０３、変調部４０４、及び送信部４０５を有する。
【０１８２】
受信部４０１は、送信局１０１からの放送波を受信する。
【０１８３】
復調部４０２は、受信部４０１が受信した放送波を復調する。
【０１８４】
付加部４０３は、復調部４０２で復調されたＴＳのＰＳＩ／ＳＩに自局の中継局識別子を付加する。この中継局識別子は、各中継局を一意に識別する識別子である。尚、中継局識別子は、付加部４０３が保持していても、中継局４０内の記憶部（図示せず）が保持していても良い。又、本実施の形態では、ＰＳＩ／ＳＩに自局の中継局識別子を付加する構成を用いて説明するが、これに限るものではない。例えば、ＢＭＬ文書等のようにＰＳＩ／ＳＩ以外であっても良く、ＴＳやＴＭＣＣ（Transmission and Multiplexing Configuration Control）等の放送波に付加すれば良い。
【０１８５】
変調部４０４は、中継局識別子が付加されたＴＳを変調する。
【０１８６】
送信部４０５は、変調部４０４が変調したＴＳを放送波として再送信する。
【０１８７】
受信端末２０は、中継局４０から送信された放送波を受信して表示する機能を有する。また受信端末２０は、通信回線やネットワークを介してサーバに接続するための機能を有す。尚、受信端末２０は、固定テレビ受信機、携帯電話、ＰＤＡ（Personal Data Assistant）、又はＰＣ（Personal Computer）のように、放送波を受信して表示する機能とサーバに接続する機能とを有する装置であれば良い。又、サーバ３０から受信端末２０が取得するコンテンツは映像や音声であっても良いし、インターネットで標準的に用いられるＨＴＭＬコンテンツやＢＭＬコンテンツ等であっても良い。即ち、受信端末２０が取得して利用できる情報であれば良い。
【０１８８】
ここで、受信端末２０について詳細に説明する。図１５は、受信端末２０のブロック図である。
【０１８９】
受信端末２０は、チューナ２０１、復調部２０２、ＴＳデコード部２０３、ＴＳフィルタ部２０４、ＢＭＬ実行部２０５、抽出部２０６、及び接続部２０８を有する。
【０１９０】
チューナ２０１は、中継局４０から再送信された放送波を受信する。
【０１９１】
復調部２０２は、受信した放送波を復調する。
【０１９２】
ＴＳデコード部２０３は、復調された放送波からＴＳパケットをデコードする。
【０１９３】
ＴＳフィルタ部２０４は、ＴＳデコード部２０３が出力したＴＳから必要なデータを取り出して各部に送出する。
【０１９４】
ＢＭＬ実行部２０５は、ＴＳフィルタ部２０４から送出されたＢＭＬ文書の記述内容に従って各種処理するものである。そして、ＢＭＬ文書に中継局識別子を抽出するための命令文がある場合、抽出部２０６に中継局識別子を抽出するための命令を出す。
【０１９５】
抽出部２０６は、ＢＭＬ実行部２０５から中継局識別子を抽出するための命令を受けると中継局識別子を抽出して接続部２０８に渡す。
【０１９６】
接続部２０８は、負荷分散装置５０に接続して、抽出部２０６が抽出した中継局識別子を渡す。
【０１９７】
本実施の形態の負荷分散装置５０は、第４の実施の形態と同様の構成であるため図１１を用いて説明する。
【０１９８】
負荷分散装置５０は、受信部５０１、記憶部５０２、及びアクセス制御部５０３を有す。
【０１９９】
受信部５０１は、受信端末２０から送信された中継局識別子を受信してアクセス制御部５０３に送出する。
【０２００】
記憶部５０２には、図１６に示すように、中継局識別子とドメインとが対応付けられたテーブルが記憶されている。
例えば、他の中継局と比較して同一の中継局識別子が入った放送波を受信する受信端末の数が多くなる場合がある。その場合、首都圏などのように人口が多い地域の場合、同一の中継局識別子が入った放送波を受信する受信端末の数が多くなる。そのため、中継局識別子に対応付けられたサーバを複数設ける必要がある。その場合、例えば、図１６中継局識別子“ＣＣＣ”のように、この識別子に対応付けるドメイン名（サーバ）を複数用意する。尚、１つの中継局識別子に対応付けるサーバの数はいくつでも良い。
一方で、同一の中継局識別子が入った放送波を受信する受信端末の数が少ない場合もある。その場合、例えば、図１６の中継局識別子“Ｃ０１”及び“Ｄ０１”のように、同一のドメイン名（サーバ）を対応付ける。
【０２０１】
アクセス制御部５０３は、受信部５０１が受信した中継局識別子に基づいて、この中継局識別子に対応付けられているドメインを記憶部５０２から検索する。例えば、図１６の中継局識別子“ＣＣＣ”のように、この識別子に対応付けられているドメイン名（サーバ）が複数ある場合、交互にアクセスさせてもよいし、各サーバへのアクセス状況を考慮してアクセスさせても良く、本発明においては如何なるものでもよい。
【０２０２】
更に、アクセス制御部５０３は、検索されたドメインを用いて、このドメインにより識別されるサーバへ受信端末２０にアクセスさせる。
【０２０３】
尚、検索されたドメインを用いて、このドメインにより識別されるサーバへ受信端末２０にアクセスさせる方法としていくつか挙げられる。
【０２０４】
例えば、アクセス制御部５０３が検索したドメインを受信端末２０に送信し、受信端末２０はこのドメインを用いてこのドメインにより識別されるサーバにアクセスする方法や、負荷分散装置５０から検索したドメインのサーバにコンテンツデータを受信端末２０に送信するように要求する方法などが挙げられるが、本発明においては、如何なるものでも良い。
【０２０５】
サーバ３０はコンテンツサーバであり、受信端末２０は通信回線やネットワークを介してサーバ３０にアクセスできる。サーバ３０は、通信回線やネットワーク上に複数設けられており、ドメインにより各サーバを一意に識別することができる。尚、本実施の形態ではコンテンツを格納したコンテンツサーバを用いて説明するが、これに限るものではない。例えばメールを送受信するメールサーバ等のようにデータを送受信するサーバであれば良い。
【０２０６】
続いて、本実施の形態の動作について説明する。まず、中継局４０の動作について説明する。
【０２０７】
送信局１０１から送信された放送波は、受信部４０１により受信され、復調部４０２にて復調される。付加部４０３は、復調されたＴＳのＰＳＩ／ＳＩに自局の中継局識別子“４０１Ｇ”を付加する。
【０２０８】
中継局識別子が付加されたＴＳは、変調部４０４で変調されて、送信部４０５により放送波として再送信される。
【０２０９】
続いて、受信端末２０の動作について説明する。
【０２１０】
中継局４０から再送信された放送波が受信端末２０のチューナ２０１により受信されると、復調部２０２で復調される。
【０２１１】
ＴＳデコード部２０３は復調された放送波からＴＳパケットをデコードし、ＴＳフィルタ部２０４がＴＳから必要なデータを取り出す。
【０２１２】
ＢＭＬ実行部２０５は、ＴＳフィルタ部２０４から送出されたＢＭＬ文書の記述内容に従って、抽出部２０６に中継局識別子を得るための命令を出す。
【０２１３】
抽出部２０６は、ＢＭＬ実行部２０５から中継局識別子を得るための命令を受けると、中継局識別子“４０１Ｇ”を抽出して接続部２０８に渡す。
【０２１４】
接続部２０８は、負荷分散装置５０に接続し、抽出部２０６が抽出した“４０１Ｇ”を渡す。
【０２１５】
負荷分散装置５０の受信部５０１は、“４０１Ｇ”を受信してアクセス制御部５０３に送出する。
【０２１６】
アクセス制御部５０３は、受信した“４０１Ｇ”に基づいて、この“４０１Ｇ”に対応付けられているドメイン“４０１Ｇ．ｘｘｘ．ｊｐ”を検索する。
【０２１７】
アクセス制御部５０３は、検索された“４０１Ｇ．ｘｘｘ．ｊｐ”を用いて、
このドメインにより識別されるサーバへ受信端末２０にアクセスさせる。
【０２１８】
尚、本実施の形態では中継局識別子に基づいてサーバを決定していたが、更にサーバのアクセス状況を考慮してサーバを決定する構成にしてもよい。
【０２１９】
又、記憶部５０２に中継局識別子とドメインとが対応付けられたテーブルが記憶されている構成について説明したが、ＩＰアドレス等のようにアクセスすべきサーバを識別できれば良く、ドメインに限るものではない。
【０２２０】
又、本実施の形態の記憶部５０２では、中継局識別子と、ドメイン名とを対応付けたテーブルを有する場合について説明したが、図１７に示すように、中継局識別子と、電話番号とを対応付けたテーブルを記憶させてもよい。その場合、受信端末２０は電話機能を備え、自身が受信した放送波に含まれている中継局識別子に対応付けられた電話番号を負荷分散装置５０から受信してその電話番号に発呼する構成となる。
【０２２１】
上記本実施の形態の構成を用いると、受信端末２０が受信した放送波を送信している中継局を一意に識別する識別子に基づいて、この識別子に対応するサーバにアクセスさせているので、放送局で特別なデータを生成する必要が無く、サーバの負荷分散ができる。特に、データ放送において、受信端末が受信した放送波を送信した中継局によってアクセスすべきサーバが異なる構成において、各サーバのドメインは負荷分散装置より取得されるため、各放送局から送信するデータ放送のコンテンツ（ＢＭＬ文書）は異なる必要はない。
【０２２２】
又、上記第１から第３の実施の形態に比べて、より効率良くサーバの負荷分散ができる。これは、中継局識別子とドメインとが対応付けられたテーブルを負荷分散装置５０に設けており、同一の中継局識別子が入った放送波を受信する受信端末の数に応じて、その中継局識別子に対応付けるドメインの数を増減させているからである。
【０２２３】
なお、本実施の形態には詳しく示さないが、ネットワーク識別子、ＴＳ識別子又は中継局の識別子とドメイン名とを対応づけたテーブルを負荷分散装置５０より受信端末２０に送信し、受信端末２０においてネットワーク識別子、ＴＳ識別子又は中継局識別子に対応したドメイン名を受信したテーブルから検索する構成であってもサーバの負荷分散の効果は得られる。また、放送局１０が送信局１０１を介して送信する放送波によって前記テーブルを送信し、受信端末２０においてネットワーク識別子、ＴＳ識別子又は中継局識別子に対応したドメイン名を受信した前記テーブルから検索する構成や、中継局４０において自局の中継局識別子に対応したドメイン名を受信した前記テーブルから検索する構成などであってもサーバの負荷分散の効果は得られる。
【０２２４】
また、本実施の形態には詳しく示さないが、上記本実施の形態の構成におけるトップレベルドメイン及び第２レベルドメインはＢＭＬ文書に記載されている構成について説明したが、ＢＭＬ文書に限定するものではない。例えばＰＳＩ／ＳＩなどに記載されていても良く、ＴＳ及びＴＭＣＣなどの放送波に含まれる構成であっても良い。このような構成の場合、放送波に含まれるトップレベルドメイン及び第２レベルドメインを端末又は中継局において取得し、ネットワーク識別子、ＴＳ識別子、又は中継局識別子を第３レベルドメインとして利用してドメインを生成し、生成したドメインに対応するサーバに端末をアクセスさせる構成であってもサーバの負荷分散の効果は得られる。
【図面の簡単な説明】
【０２２５】
【図１】図１は、本発明に係わる第１の実施の形態の概要図である。
【図２】図２は、本発明に係わる第１の実施の形態の受信端末２０のブロック図である。
【図３】図３は、ＢＭＬのプログラムの一例である。
【図４】図４は、ネットワーク識別子及びＴＳ識別子を説明するための図である。
【図５】図５は、本発明に係わる第２の実施の形態の概要図である。
【図６】図６は、本発明に係わる第２の実施の形態の中継局のブロック図である。
【図７】図７は、本発明に係わる第２の実施の形態の受信端末のブロック図である。
【図８】図８は、本発明に係わる第３の実施形態の受信端末のブロック図である。
【図９】図９は、本発明に係わる第４の実施の形態の概要図である。
【図１０】図１０は、本発明に係わる第４の実施形態の受信端末２０のブロック図である。
【図１１】図１１は、本発明に係わる第４の実施形態における負荷分散装置のブロック図である。
【図１２】図１２は、第４の実施の形態の記憶部５０２に記憶されているデータを説明するための図である。
【図１３】図１３は、記憶部５０２に記憶されているデータの他の実施例を説明するための図である。
【図１４】図１４は、本発明に係わる第５の実施の形態の概要図である。
【図１５】図１５は、本発明に係わる第５の実施形態の受信端末２０のブロック図である。
【図１６】図１６は、第５の実施の形態の記憶部５０２に記憶されているデータを説明するための図である。
【図１７】図１７は、記憶部５０２に記憶されているデータの他の実施例を説明するための図である。
【符号の説明】
【０２２６】
１０      放送局
２０      受信端末
３０      サーバ
２０５    ＢＭＬ実行部
２０６    抽出部
２０７    アクセス制御部
【図１】
2006295818.tif 000003
【図２】
2006295818.tif 000004
【図３】
2006295818.tif 000005
【図４】
2006295818.tif 000006
【図５】
2006295818.tif 000007
【図６】
2006295818.tif 000008
【図７】
2006295818.tif 000009
【図８】
2006295818.tif 000010
【図９】
2006295818.tif 000011
【図１０】
2006295818.tif 000012
【図１１】
2006295818.tif 000013
【図１２】
2006295818.tif 000014
【図１３】
2006295818.tif 000015
【図１４】
2006295818.tif 000016
【図１５】
2006295818.tif 000017
【図１６】
2006295818.tif 000018
【図１７】
2006295818.tif 000019